(57)【要約】【課題】主として地面に降り積もる雪を融雪する融雪装置において、加熱手段により融雪対象物を加熱する時間帯を日中に設定することによって、太陽エネルギーを利用して効率的に雪を融かすようにする。【解決手段】加熱手段２に電力を供給する電力供給手段３の供給電力量を制御手段４により制御し、計時手段５により時刻をカウントし、加熱運転可能な時間帯を運転時間設定手段６により設定する。制御手段４は、計時手段５の示す時刻が運転時間設定手段６で設定されている時間帯に、加熱手段２に電力を供給するよう構成する。【選択図】  図１
2004353234.tif 000002
【特許請求の範囲】
【請求項１】
加熱手段と、この加熱手段に電力を供給する電力供給手段と、この電力供給手段の供給電力量を制御する制御手段と、時刻をカウントする計時手段と、加熱運転可能な時間帯を設定する運転時間設定手段とを備え、前記制御手段は、前記計時手段の示す時刻が運転時間設定手段で設定されている時間帯に、前記加熱手段に電力を供給するよう構成した融雪装置。
【請求項２】
運転時間設定手段は、加熱運転可能な時間帯をあらかじめ日中の所定時間帯に設定するよう構成した請求項１記載の融雪装置。
【請求項３】
制御手段は、運転時間設定手段で設定されている時間帯に連続で加熱手段に電力を供給するよう構成した請求項１または２記載の融雪装置。
【請求項４】
融雪領域の温度を検知する温度検知手段を備え、制御手段は、運転時間設定手段で設定されている時間帯に前記温度検知手段の検知温度があらかじめ設定されている所定温度に達するまで加熱手段に電力を供給するよう構成した請求項１〜３のいずれか１項に記載の融雪装置。
【請求項５】
降雪の有無を検知する降雪検知手段を備え、制御手段は、運転時間設定手段で設定されている時間帯以外の時間帯に降雪を検知すると運転可能時間帯に加熱手段に電力を供給するよう構成した請求項１〜４のいずれか１項に記載の融雪装置。
【発明の詳細な説明】
【０００１】
【発明の属する技術分野】
本発明は、主として地面に降り積もる雪を融雪する融雪装置に関するものである。
【０００２】
【従来の技術】
従来、この種の融雪装置としては、降雪を検知する降雪検知手段と、融雪対象物を加熱する加熱手段とを備え、降雪検知手段によって降雪が検知されると、加熱手段の運転を開始し、降雪検知手段によって降雪の終了が検知されると、所定の遅延運転時間が経過した後、加熱手段を停止させるようにしていた（例えば、特許文献１参照）。
【０００３】
【特許文献１】
特開平１１−２８００１７号公報
【０００４】
【発明が解決しようとする課題】
しかし上記従来の融雪装置では、夜間でも加熱するため、気温が特に低く、太陽エネルギーも利用できない時間帯に雪を融かすこととなり、多くの加熱エネルギーを必要とすし、非経済的であるという問題があった。
【０００５】
本発明は上記従来の課題を解決するもので、加熱手段により融雪対象物を加熱する時間帯を日中に設定することによって、太陽エネルギーを利用して効率的に雪を融かすようにすることを目的としている。
【０００６】
【課題を解決するための手段】
本発明は上記目的を達成するために、加熱手段に電力を供給する電力供給手段の供給電力量を制御手段により制御し、計時手段により時刻をカウントし、加熱運転可能な時間帯を運転時間設定手段により設定するよう構成し、制御手段は、計時手段の示す時刻が運転時間設定手段で設定されている時間帯に、加熱手段に電力を供給するよう構成したものである。
【０００７】
これにより、加熱手段により融雪対象物を加熱する時間帯を日中に設定することによって、太陽エネルギーを利用して効率的に雪を融かすことができる。
【０００８】
【発明の実施の形態】
本発明の請求項１に記載の発明は、加熱手段と、この加熱手段に電力を供給する電力供給手段と、この電力供給手段の供給電力量を制御する制御手段と、時刻をカウントする計時手段と、加熱運転可能な時間帯を設定する運転時間設定手段とを備え、前記制御手段は、前記計時手段の示す時刻が運転時間設定手段で設定されている時間帯に、前記加熱手段に電力を供給するよう構成したものであり、加熱手段により融雪対象物を加熱する時間帯を日中に設定することによって、太陽エネルギーを利用して効率的に雪を融かすことができ、省エネルギーの融雪装置を実現することができる。
【０００９】
請求項２に記載の発明は、上記請求項１に記載の発明において、運転時間設定手段は、加熱運転可能な時間帯をあらかじめ日中の所定時間帯に設定するよう構成したものであり、使用者が運転時間帯を設定しなくても、あらかじめ日中の所定時間帯に設定されているため、太陽エネルギーを利用して効率的に雪を融かすことができ、省エネルギーの融雪装置を実現することができる。
【００１０】
請求項３に記載の発明は、上記請求項１または２に記載の発明において、制御手段は、運転時間設定手段で設定されている時間帯に連続で加熱手段に電力を供給するよう構成したものであり、運転可能な時間帯に、それ以外の時間帯に降り積もった雪を融かすことができる。
【００１１】
請求項４に記載の発明は、上記請求項１〜３に記載の発明において、融雪領域の温度を検知する温度検知手段を備え、制御手段は、運転時間設定手段で設定されている時間帯に前記温度検知手段の検知温度があらかじめ設定されている所定温度に達するまで加熱手段に電力を供給するよう構成したものであり、融雪面に降り積もった雪をすべて融かし終えると自動的に加熱を停止するので、より使用電力を節約することができる。
【００１２】
請求項５に記載の発明は、上記請求項１〜４に記載の発明において、降雪の有無を検知する降雪検知手段を備え、制御手段は、運転時間設定手段で設定されている時間帯以外の時間帯に降雪を検知すると運転可能時間帯に加熱手段に電力を供給するよう構成したものであり、融雪面に融かす必要がある積雪がある場合のみ加熱を行うため、より効率的な融雪を行うことができる。
【００１３】
【実施例】
以下、本発明の実施例について、図面を参照しながら説明する。
【００１４】
（実施例１）
図１に示すように、融雪領域１は、アスファルト舗装などを施し、コードヒータで構成した加熱手段２を設置している。加熱手段２には電力供給手段３から電力を供給するとともに、制御手段４により供給量を制御している。制御手段４には、時刻をカウントする計時手段５と、運転時間設定手段６とを接続している。
【００１５】
記憶手段７はＥＰＲＯＭで構成し、運転可能な時間帯の開始時間と終了時間をあらかじめ記憶しており、たとえば、８時〜１６時の日中の時間帯に設定されている。制御手段４、計時手段５および記憶手段７はマイクロコンピュータ８で構成している。運転時間設定手段６は、例えば開始時間と終了時間を、それぞれデジタル表示の数字を希望の時間にスイッチ操作で合わせることで設定するようにしている。
【００１６】
上記構成において動作を説明する。制御手段４は、計時手段５の示す時刻が運転時間設定手段６の開始時刻から終了時刻の間であれば電力供給手段３を駆動して加熱手段２に電力を供給する。使用者が運転時間設定手段６に開始時刻、終了時刻を設定していない場合は、計時手段４の示す時刻が記憶手段７にあらかじめ設定されている開始時刻と終了時刻の間であれば電力供給手段３を駆動して加熱手段２に電力を供給する。
【００１７】
この動作により、予め記憶手段７に設定されているか、または運転時間設定手段６によって設定されている開始時刻と終了時刻の間に融雪領域１を加熱して雪を融かすことができる。すなわち、使用者が運転時間設定手段６を用いて、使用地域の日照時間に応じて開始時間と終了時間を設定することにより、あるいはあらかじめ設定されている運転可能時間帯が日中の時間帯であることにより、太陽エネルギーを利用した経済的な融雪を実現することができる。
【００１８】
なぜならば、例えば札幌市の冬季の夜間気温が−１０℃に対して昼間は０℃あたりまで上昇することと、太陽の輻射熱により融雪領域１の雪が融かされることのため、融雪装置の使用する電気量は夜間に比べ昼間の方が少なくて済むからでである。
【００１９】
よって、本実施例の融雪装置では、夜間に降った雪も、より効率的に融かすことが可能な昼間に加熱融解することができる。
【００２０】
このように本実施例によれば、制御手段４は、計時手段５の示す時刻が運転時間設定手段６で設定されている時間帯に、加熱手段２に電力を供給するよう構成しているので、加熱手段２により融雪対象物を加熱する時間帯を日中に設定することによって、太陽エネルギーを利用して効率的に雪を融かすことができ、省エネルギーの融雪装置を実現することができる。
【００２１】
また、運転時間設定手段６は、加熱運転可能な時間帯をあらかじめ日中の所定時間帯に設定するよう構成しているので、使用者が運転時間帯を設定しなくても、あらかじめ日中の所定時間帯に設定されているため、太陽エネルギーを利用して効率的に雪を融かすことができ、省エネルギーの融雪装置を実現することができる。
【００２２】
また、制御手段４は、運転時間設定手段６で設定されている時間帯に連続で加熱手段２に電力を供給するよう構成したので、運転可能な時間帯に、それ以外の時間帯に降り積もった雪を融かすことができる。
【００２３】
（実施例２）
図２に示すように、温度検知手段９は、融雪領域１の温度を検知するもので、半導体サーミスタ等の温度検知素子で構成している。制御手段４は、計時手段５の示す時刻が運転時間設定手段６の開始時刻から終了時刻の間であれば電力供給手段３を駆動して加熱手段２に電力を供給する。そして、制御手段４は温度検知手段９で検知した融雪領域１の温度が予め設定されている温度、例えば＋５℃に到達すると加熱を終了するよう構成している。他の構成は上記実施例１と同じである。
【００２４】
上記構成において図３を参照しながら動作を説明する。図３は、温度検知手段９の検知温度と融雪状況との関係を示しており、加熱を開始すると融雪領域１の温度が上昇する（区間Ａ）。０℃に到達すると融雪領域１の雪が溶け始め、雪が融けている間は融雪領域の温度は０℃に維持される（区間Ｂ）。融雪領域１の雪がすべて融けると温度は０℃より上昇し始め、５℃に到達した時点で加熱終了となる（区間Ｃ）。
【００２５】
このように本実施例によれば、制御手段４は、運転時間設定手段６で設定されている時間帯に、融雪領域１の温度を検知する温度検知手段９の検知温度があらかじめ設定されている所定温度に達するまで加熱手段２に電力を供給するよう構成したので、融雪領域１の雪を完全に融かした後に自動的に加熱終了することができるので、雪の溶かし残しなく、また過剰に電力を使うこともなく経済的に雪を融かすことができる。また、上記実施例１と同様に昼間の太陽エネルギーを利用しながら雪を融かすので、より経済的な融雪を実現することができる。
【００２６】
（実施例３）
図４に示すように、降雪検知手段１０は、発光素子と受光素子とを有し、発光素子の光が雪に反射するのを受光素子で検知することにより降雪の有無を検知するよう構成している。制御手段４は、運転時間設定手段６あるいは記憶手段７で設定されている運転可能な時間帯以外の時間帯に降雪検知手段１０により降雪を検知した場合は、計時手段５により運転可能な時間帯であること確認すると加熱手段２に電力を供給するよう構成している。他の構成は上記実施例１または２と同じである。
【００２７】
上記構成において動作を説明する。制御手段４は、運転時間設定手段６あるいは記憶手段７で設定されている時間帯以外の時間帯に降雪を検知すると、運転可能時間帯に加熱手段２に電力を供給して加熱を開始し融雪領域の雪を融かす。また、運転可能な時間帯以外で降雪がなければ加熱を行わない。
【００２８】
このように本実施例によれば、制御手段４は、運転時間設定手段６あるいは記憶手段７で設定されている時間帯以外の時間帯に、降雪検知手段１０により降雪を検知すると運転可能時間帯に加熱手段２に電力を供給するよう構成したので、融雪面に融かす必要がある積雪がある場合のみ加熱を行うため、より効率的で、経済的に雪を融かすことができる。また、運転可能な時間帯に降雪を検知した場合は加熱を行い、融雪領域の雪を融かすことが可能なことはいうまでもない。
【００２９】
【発明の効果】
以上のように本発明の請求項１に記載の発明によれば、計時手段により時刻をカウントし、加熱運転可能な時間帯を運転時間設定手段により設定するよう構成し、制御手段は、計時手段の示す時刻が運転時間設定手段で設定されている時間帯に、加熱手段に電力を供給するよう構成したから、使用地域の日照時間帯に応じて設定した昼間の時間帯だけ雪を融かすため加熱を行うので、太陽エネルギーを利用して効率的に雪を融かすことができ、省エネルギーの融雪装置を実現することができる。
【００３０】
また、請求項２に記載の発明によれば、運転時間設定手段は、加熱運転可能な時間帯をあらかじめ日中の所定時間帯に設定するよう構成したから、使用者が運転時間帯を設定しなくても、あらかじめ設定されている昼間の時間帯だけ雪を融かすため加熱を行うので、運転時間帯設定の手間なく経済的な融雪を実現することができる。
【００３１】
また、請求項３に記載の発明によれば、制御手段は、運転時間設定手段で設定されている時間帯に連続で加熱手段に電力を供給するよう構成したから、運転可能な時間帯に連続で加熱を行うため、太陽エネルギーを利用しながら経済的に融雪領域の積雪を完全に融かすことができる。また、運転可能な時間帯に降る雪も完全に融かすことができる。
【００３２】
また、請求項４に記載の発明によれば、制御手段は、運転時間設定手段で設定されている時間帯に温度検知手段の検知温度があらかじめ設定されている所定温度に達するまで加熱手段に電力を供給するよう構成したから、融雪領域の温度によって自動的に加熱を停止するために、過剰な電力を使用することなく、より経済的な融雪を実現することができる。
【００３３】
また、請求項５に記載の発明によれば、制御手段は、運転時間設定手段で設定されている時間帯以外の時間帯に降雪を検知すると運転可能時間帯に加熱手段に電力を供給するよう構成したから、融雪面に融かす必要がある積雪がある場合のみ加熱を行うため、より効率的で、経済的に融雪を行うことができる。
【図面の簡単な説明】
【図１】本発明の第１の実施例の融雪装置のブロック図
【図２】本発明の第２の実施例の融雪装置のブロック図
【図３】同融雪装置の動作タイムチャート
【図４】本発明の第３の実施例の融雪装置のブロック図
【符号の説明】
２  加熱手段
３  電力供給手段
４  制御手段
５  計時手段
６  運転時間設定手段
【図１】
2004353234.tif 000003
【図２】
2004353234.tif 000004
【図３】
2004353234.tif 000005
【図４】
2004353234.tif 000006